(57)【要約】【課題】安価且つ簡易な機構により、最適な撮影モードを確実に選択することができるレンズ付きフイルムユニットを提供する。【解決手段】第１透明部材は、一端面がユニット本体３の前面の開口から露出している。他端面２１ｂには一端面から入射した光が導かれ、他端面２１ｂは、その光の量に応じて明暗を変化させる。他端面２１ｂの上方には、明暗パターン２８、２９、３０が表示されている。操作者は、指標３５ａが他端面２１ｂの明暗に最も近い明暗パターンを指し示すようにして、操作部材３５を操作する。【選択図】        図４
2006091739.tif 000002
【特許請求の範囲】
【請求項１】
露光条件が異なる複数の撮影モードのうち、いずれか一つの撮影モードを手動で選択することが可能なレンズ付きフイルムユニットにおいて、
ユニット本体の前面に設けられた開口から取り入れた光を一端面から入射させ、ユニット本体の後面に設けられた開口から露出した他端面へ導き、前記光の量に応じて前記他端面の明暗を変化させる導光部材と、
撮影環境に適した露光条件の撮影モードを選択するために、前記他端面の明暗と比較される明暗パターンが表示されている比較部と、を備えたことを特徴とするレンズ付きフイルムユニット。
【請求項２】
前記比較部は、前記複数の撮影モードの露光条件にそれぞれ適合する複数の明暗パターンを表示することを特徴とする請求項１記載のレンズ付きフイルムユニット。
【請求項３】
前記比較部は、反射面が異なる光反射率で複数の領域に区画されている反射板と、この反射面に一端面が対向するようにして配置された透明部材とから構成され、前記透明部材の他端面から取り入れた光を前記反射板で反射させ、前記透明部材の前記他端面に明暗パターンを表示することを特徴とする請求項２記載のレンズ付きフイルムユニット。
【請求項４】
前記導光部材の前記一端面及び前記他端面並びに前記透明部材の前記一端面及び前記他端面は、光を乱反射する粗面とされていることを特徴とする請求項３記載のレンズ付きフイルムユニット。
【請求項５】
前記比較部は、前記透明部材の前記他端面がユニット本体の後面に設けられた前記開口から露出するようにして、前記導光部材と並べられて配置され、この開口には、直接に入射する光を遮る遮光部が設けられていることを特徴とする請求項３または４記載のレンズ付きフイルムユニット。
【請求項６】
手動による操作により変位して撮影モードを選択する撮影モード選択部材を備え、
この撮影モード選択部材には、前記複数の明暗パターンのうち、いずれか一つの明暗パターンを指し示す指標が設けられ、
前記撮影モード選択部材は、前記指標が指し示している明暗パターンに対応した露光条件の撮影モードとなるように設定されており、前記指標が前記導光部材の前記他端面の明暗に最も近い明暗パターンを指し示すようにして前記指標と共に変位させられると、撮影環境に適した露光条件の撮影モードを選択することを特徴とする請求項２ないし５いずれか１項記載のレンズ付きフイルムユニット。
【発明の詳細な説明】
【技術分野】
【０００１】
本発明はレンズ付きフイルムユニットに関し、さらに詳しくは露光条件が異なる複数の撮影モードのうち、いずれか一つの撮影モードを手動で選択することが可能なレンズ付きフイルムユニットに関するものである。
【背景技術】
【０００２】
未露光の写真フイルムが予め装填された１回使用型の簡易カメラであるレンズ付きフイルムユニットが知られている。レンズ付きフイルムユニットは、各撮影機構が簡略化されて安価であることや、撮影操作が簡単であることなどを特徴としており、手軽に利用できることから広く普及している。
【０００３】
レンズ付きフイルムユニットでは、その普及にともない、例えば、接近用、望遠用、連続撮影用など、様々な撮影シーンに対応した商品が販売されている。近年では、本出願人により製造・販売されている「Ｎｉｇｈｔ＆Ｄａｙ（商品名）」などで知られるように、露光条件の異なる複数の撮影モードを備えたモード切替型のレンズ付きフイルムユニットも登場している。
【発明の開示】
【発明が解決しようとする課題】
【０００４】
しかしながら、このようなモード切替型のレンズ付きフイルムユニットでは、夕暮れ時や明るい室内などのような明るすぎも暗すぎもしない撮影環境のときに、どの撮影モードを選択すればよいか分からないことがある。適切ではない撮影モードを選択して撮影した場合には、露出が適切に行われない。
【０００５】
この問題の解決策として、被写体からの光をセンサで測定して、その測定結果を基に適切な撮影モードを判定する方法が考えられる。しかし、判定を行うため設けられる回路は、当然ながら電力を必要とするため、その分だけ電池容量を大きくしなければならない。また、ストロボを内蔵せず、電池を内蔵しないレンズ付きフイルムユニットにあっては、上記方法は採用することができない。
【０００６】
本発明は、安価且つ簡易な機構により、最適な撮影モードを確実に選択することができるレンズ付きフイルムユニットを提供することを目的とする。
【課題を解決するための手段】
【０００７】
本発明は、露光条件が異なる複数の撮影モードのうち、いずれか一つの撮影モードを手動で選択することが可能なレンズ付きフイルムユニットに関し、ユニット本体の前面に設けられた開口から取り入れた光を一端面から入射させ、ユニット本体の後面に設けられた開口から露出した他端面へ導き、前記光の量に応じて前記他端面の明暗を変化させる導光部材と、撮影環境に適した露光条件の撮影モードを選択するために、前記他端面の明暗と比較される明暗パターンが表示されている比較部と、を備えたことを特徴とする。
【０００８】
前記比較部は、前記複数の撮影モードの露光条件にそれぞれ適合する複数の明暗パターンを表示することが好ましい。
【０００９】
前記比較部は、反射面が異なる光反射率で複数の領域に区画されている反射板と、この反射面に一端面が対向するようにして配置された透明部材とから構成され、前記透明部材の他端面から取り入れた光を前記反射板で反射させ、前記透明部材の前記他端面に明暗パターンを表示することが好ましい。
【００１０】
前記導光部材の前記一端面及び前記他端面並びに前記透明部材の前記一端面及び前記他端面は、光を乱反射する粗面とされていることが好ましい。
【００１１】
前記比較部は、前記透明部材の前記他端面がユニット本体の後面に設けられた前記開口から露出するようにして、前記導光部材と並べられて配置され、この開口には、直接に入射する光を遮る遮光部が設けられていることが好ましい。
【００１２】
手動による操作により変位して撮影モードを選択する撮影モード選択部材を備え、この撮影モード選択部材には、前記複数の明暗パターンのうち、いずれか一つの明暗パターンを指し示す指標が設けられ、前記撮影モード選択部材は、前記指標が指し示している明暗パターンに対応した露光条件の撮影モードとなるように設定されており、前記指標が前記導光部材の前記他端面の明暗に最も近い明暗パターンを指し示すようにして前記指標と共に変位させられると、撮影環境に適した露光条件の撮影モードを選択することが好ましい。
【発明の効果】
【００１３】
本発明のレンズ付きフイルムユニットによれば、ユニット本体の前面に設けられた開口から取り入れた光を一端面から入射させ、ユニット本体の後面に設けられた開口から露出した他端面へ導き、光の量に応じて他端面の明暗を変化させる導光部材と、撮影環境に適した露光条件の撮影モードを選択するために、他端面の明暗と比較される明暗パターンが表示されている比較部と、を備えるので、安易且つ簡易な機構により、最適な撮影モードを確実に選択することができる。これにより、露出不足又は露出過多による失敗を防ぐことができ、操作者の安心感を向上させることができる。本発明は、特に電池を内蔵しない場合に有利である。
【発明を実施するための最良の形態】
【００１４】
図１に示すように、レンズ付きフイルムユニット２のユニット本体３の前面には、撮影レンズ４、対物側ファインダ窓５、開口６が設けられている。開口６は、後述する第１透明部材２１の一端面２１ａ（図３参照）を露出させるためのものである。
【００１５】
ユニット本体３の上面には、シャッタボタン７、カウンタ窓８、撮影モード選択機構９の操作部１０が設けられている。カウンタ窓８は、撮影可能な残りコマ数を表示する。撮影モード選択機構９については後述する。
【００１６】
図２に示すように、ユニット本体３の後面には、巻き上げノブ１４、接眼側ファインダ窓１５、矩形状の開口１６が設けられている。巻き上げノブ１４が撮影後に操作されると、次コマの撮影が可能な状態となる。開口１６は、撮影モード選択機構９の表示部１７を露出させるためのものである。この開口１６の周囲には、前方に向かうに従って開口面積が小さくなるように形成された遮光部１８が設けられている。これにより、後方から直接に表示部１７へ入射する光の量を制限することができ、表示部１７を視認しやすくなる。なお、遮光部には、表示部１７の端部を覆うような部材を用いてもよい。
【００１７】
ユニット本体３には、製造時においてフイルムパトローネが装填される。フイルムパトローネは、１３５タイプのものであり、パトローネと写真フイルムとから構成される。写真フイルムには、ＩＳＯ１６００もしくはＩＳＯ３２００のものが用いられている。写真フイルムには、フイルム感度がＩＳＯ４００以上のものを用いることが好ましい。高感度の写真フイルムを用いることで、ストロボなどのフラッシュ装置を用いなくても暗い環境で撮影を行うことができる。本例のレンズ付きフイルムユニット２には、フラッシュ装置及び電池が内蔵されていない。
【００１８】
ユニット本体３には、シャッタチャージ機構、シャッタ機構、フイルム巻上げ機構、フイルム巻止機構、フイルムカウント機構、絞り切替機構、シャッタ速度切替機構等の撮影機構が組み込まれている。絞り切替機構は、撮影モード選択機構９の操作部１０の操作に応じて、絞りを切り替えるものである。絞りは、大絞りと小絞りのいずれかに設定される。シャッタ速度切替機構は、撮影モード選択機構９の操作部１０の操作に応じて、シャッタ速度を切り替えるものである。シャッタ速度は、高速と低速のいずれかに設定される。なお、絞りやシャッタ速度の種類はこれらに限られない。
【００１９】
撮影モード選択機構９は、表示部１７と操作部１０とから構成される。図３は、表示部１７を後面側からみたときの分解斜視図である。表示部１７は、第１透明部材（導光部材）２１、と、反射板２２と、第２透明部材（透明部材）２３とから構成される。
【００２０】
第１透明部材２１は、透明な樹脂を材料として柱状に形成されている。第１透明部材２１は、一端面２１ａが開口６に対向するように、他端面２１ｂが開口１６の下部に対向するようにして、ユニット本体３内部に固定されている。一端面２１ａ及び他端面２１ｂは、光を乱反射する粗面とされており、像が映らないようにされている。開口６から取り入れられた光は、一端面２１ａから第１透明部材２１に入射し、他端面２１ｂへと導かれる。他端面２１ｂの明暗の度合いは、開口６から取り入れられた光の量に依存する。なお、第１透明部材２１には、ガラスを材料として用いてもよい。
【００２１】
反射板２２は、反射面２２ａが異なる反射率で３つの領域２５、２６、２７に区画されている。後面側からみて、左の領域２５の反射率が最も高く、右の領域２７の反射率が最も低くされている。反射板２２は、反射面２２ａを第２透明部材２３の一端面２３ａに固定される。第２透明部材２３は、透明な樹脂を材料として矩形の板状に形成されている。第２透明部材２３は、他端面２３ｂが開口１６の上部に対向するようにして、第１透明部材２１の上面に固定される。反射板２２と第２透明部材２３とによって、比較部２４が構成されている。
【００２２】
開口１６の上部から取り入れられた光は、他端面２３ｂから第２透明部材２３に入射し、一端面２３ａから出射する。一端面２３ａから出射した光は、反射面２２ａに照射される。ここで、一部の光は反射面２２ａに吸収され、一部の光が反射面２２ａで反射される。反射光は第２透明部材２３の一端面２３ａに入射する。第２透明部材２３の一端面２３ａから入射した光は、他端面２３ｂへと導かれる。他端面２３ｂに形成される明暗パターンは、反射面２２ａの領域２５に対応する明暗パターン２８（図４参照）が最も明るくなり、領域２６に対応する明暗パターン２９（図４参照）が中程度の明るさとなり、領域２７に対応する明暗パターン３０（図４参照）が最も暗くなる。なお、第２透明部材２３には、ガラスを材料として用いてもよい。
【００２３】
図４に示すように、撮影モード選択機構９の操作部１０は、操作溝３４と、操作部材３５とから構成される。操作溝３４は、ユニット本体３の上面において、撮影レンズ４の光軸に直交する方向に長尺に形成された溝である。操作部材３５は、この操作溝３４内で移動自在とされている。操作部材３５は、図４（Ａ）に示す第１操作位置、図４（Ｂ）に示す第２操作位置、図４（Ｃ）に示す第３操作位置の間で移動する。
【００２４】
操作部材３５が第１操作位置にあるときに、絞り切替機構が小絞り、シャッタ速度が高速の第１撮影モードに設定される。操作部材が第２操作位置にあるときに、絞り切替機構が大絞り、シャッタ速度が高速の第２撮影モードに設定される。操作部材が第３操作位置にあるときに、絞り切替機構が大絞り、シャッタ速度が低速の第３撮影モードに設定される。
【００２５】
上述した明暗パターン２８は、明暗が、第１撮影モードの露光条件に適合した撮影環境のときに第１透明部材２１の他端面２１ｂの明暗と同じ程度となるように調節されている。また、明暗パターン２９は、明暗が、第２撮影モードの露光条件に適合した撮影環境のときに第１透明部材２１の他端面２１ｂの明暗と同じ程度になるように調節されている。そして、明暗パターン３０は、明暗が、第３撮影モードの露光条件に適合した撮影環境のときに第１透明部材２１の他端面２１ｂの明暗と同じ程度になるように調節されている。
【００２６】
操作部材３５には、折曲部が形成されており、この折曲部が指標３５ａとされている。この指標３５ａが明暗パターン２８を指し示すようにして、操作部材３５を変位させると、操作部材３５は第１操作位置に移動することとなる。また、指標３５ａが明暗パターン２９を指し示すようにして、操作部材３５を変位させると、操作部材３５は第２操作位置に移動することとなる。そして、指標３５ａが明暗パターン３０を指し示すようにして、操作部材３５を変位させると、操作部材３５は第３操作位置に移動することとなる。
【００２７】
以下では、上記構成による作用について説明する。レンズ付きフイルムユニット２の操作者は、撮影にあたり、撮影レンズ４を被写体に向けて、撮影モード選択機構９の表示部１７を見る。そして、表示部１７の他端面２１ｂの明暗と、表示部１７の明暗パターン２８、２９、３０とを比較する。操作者は、指標３５ａが、他端面２１ｂの明暗に最も近い明暗パターンを指し示すようにして、操作部材３５を操作する。これにより、撮影環境に最も適した撮影モードが選択される。
【００２８】
巻き上げノブ１４を操作すると、撮影が可能な状態となる。撮影レンズ４を被写体に向けてシャッタボタン７を押圧すると、各撮影モードにより設定されたシャッタ速度及び絞りで撮影が行われる。
【００２９】
このように、本発明のレンズ付きフイルムユニットによれば、電池を内蔵しない場合であっても、最適な撮影モードを確実に選択することができる。露出不足や露出過多による失敗を防ぐことができ、操作者の安心感を向上させることができる。
【００３０】
なお、上記実施形態では、各明暗パターン２８、２９、３０と操作部材３５の各操作位置とを対応づけるために、指標を用いたが、図５に示すように、図柄等を用いてもよい。操作部材３５の替わりに操作部材４０を用いる。各明暗パターン２８、２９、３０の上方には、それぞれ屋外（太陽）マーク、屋内（曇り）マーク、夜（月）マークが描かれている。また、操作溝３４の前方には、操作部材３５の各操作位置に対応する位置に、各マークが描かれている。例えば、他端面２１ｂの明暗が明暗パターン２８に近い場合には、明暗パターン２８の上方に描かれた屋外マークに対応する第１操作位置に、操作部材４０を移動させればよいことが分かる。
【００３１】
上記実施形態では、撮影モードが３種類であったが、２種類や４種類以上としてもよい。また、上記実施形態では、反射板２２の反射面２２ａは、異なる反射率となるようにして３つの領域に明確に区画したが、反射率が徐徐に変化するようにしてもよい。
【図面の簡単な説明】
【００３２】
【図１】本発明のレンズ付きフイルムユニットを前面からみたときの外観斜視図である。
【図２】レンズ付きフイルムユニットを後面からみたときの外観斜視図である。
【図３】撮影モード選択機構の表示部の分解斜視図である。
【図４】撮影モード選択機構の外観斜視図である。
【図５】別の実施形態におけるレンズ付きフイルムユニットの外観斜視図である。
【符号の説明】
【００３３】
２  レンズ付きフイルムユニット
３  ユニット本体
６  開口
９  撮影モード選択機構
１０  操作部
１６  開口
１７  表示部
２１  第１透明部材
２１ａ  一端面
２１ｂ  他端面
２２  反射板
２２ａ  反射面
２３  第２透明部材
２３ａ  一端面
２３ｂ  他端面
２８、２９、３０  明暗パターン
【図１】
2006091739.tif 000003
【図２】
2006091739.tif 000004
【図３】
2006091739.tif 000005
【図４】
2006091739.tif 000006
【図５】
2006091739.tif 000007